【手続補正書】
【提出日】令和1年5月24日(2019.5.24)
【手続補正１】
【補正対象書類名】明細書
【補正対象項目名】発明の名称
【補正方法】変更
【補正の内容】
【発明の名称】情報処理装置、端末装置、情報処理システム、情報処理方法、情報表示方法、及び、プログラム
【手続補正２】
【補正対象書類名】明細書
【補正対象項目名】０００１
【補正方法】変更
【補正の内容】
【０００１】
本発明は、情報処理装置、端末装置、情報処理システム、情報処理方法、情報表示方法、及び、プログラムに関する。
【手続補正３】
【補正対象書類名】明細書
【補正対象項目名】０００６
【補正方法】変更
【補正の内容】
【０００６】
上記課題を解決するため、本発明に係る情報処理装置は、
複数の登山計画書情報と該各登山計画書情報において登山予定とされている複数のユーザを識別する複数のユーザＩＤとを互いに対応付けて記憶する記憶部と、
前記複数のユーザそれぞれが有する端末装置と通信可能な通信部と、
制御部と、
を備え、
前記制御部は、
前記複数のユーザにおける少なくとも一人の第１ユーザが、前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する前記端末装置より前記通信部を介して取得し、
前記第１ユーザが前記第１場所を通過した時刻よりも後に当該第１場所を通過する予定となっている少なくとも一つの特定の登山計画書情報が前記記憶部に記憶されている前記複数の登山計画書情報の中にある場合に、前記登山経路情報を当該特定の登山計画書情報と対応付けられている前記ユーザＩＤに対応する前記ユーザが有する前記端末装置へ前記通信部を介して送信する、
ことを特徴とする。
【手続補正４】
【補正対象書類名】特許請求の範囲
【補正対象項目名】全文
【補正方法】変更
【補正の内容】
【特許請求の範囲】
【請求項１】
複数の登山計画書情報と該各登山計画書情報において登山予定とされている複数のユーザを識別する複数のユーザＩＤとを互いに対応付けて記憶する記憶部と、
前記複数のユーザそれぞれが有する端末装置と通信可能な通信部と、
制御部と、
を備え、
前記制御部は、
前記複数のユーザにおける少なくとも一人の第１ユーザが、前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する前記端末装置より前記通信部を介して取得し、
前記第１ユーザが前記第１場所を通過した時刻よりも後に当該第１場所を通過する予定となっている少なくとも一つの特定の登山計画書情報が前記記憶部に記憶されている前記複数の登山計画書情報の中にある場合に、前記登山経路情報を当該特定の登山計画書情報と対応付けられている前記ユーザＩＤに対応する前記ユーザが有する前記端末装置へ前記通信部を介して送信する、
ことを特徴とする情報処理装置。
【請求項２】
前記登山経路情報は、前記第１場所の現在の状況を示す経路状況情報を含み、
前記記憶部は、前記登山経路の少なくとも前記第１場所の常時の状況を示す常時状況情報を記憶し、
前記制御部は、
前記登山経路情報により前記経路状況情報が取得され、前記記憶部に記憶されている前記複数の登山計画書情報の中に前記特定の登山計画書情報がある場合に、前記記憶部に記憶されている前記常時状況情報に基づき、前記第１場所の現在の状況が該第１場所の常時の状況と異なっているか否かを判定し、
前記第１場所の現在の状況が該第１場所の常時の状況と異なっていると判定した場合に、前記経路状況情報を前記特定の登山計画書情報と対応付けられている前記ユーザＩＤに対応する前記ユーザが有する前記端末装置へ前記通信部を介して送信する、
ことを特徴とする請求項１に記載の情報処理装置。
【請求項３】
前記記憶部は、前記複数のユーザの各々の登山経験レベルを示すレベル情報を前記複数のユーザＩＤの各々と対応付けて記憶し、
前記制御部は、
前記第１場所の現在の状況が該第１場所の常時の状況と異なっていないと判定した場合に、前記特定の登山計画書情報と対応付けられていている前記複数のユーザのうちの、前記登山経験レベルが最も低いレベルである前記ユーザＩＤに対応する前記ユーザを除く前記ユーザが有する前記端末装置には前記経路状況情報を送信しないことを特徴とする請求項２に記載の情報処理装置。
【請求項４】
前記登山経路情報は、前記第１場所を前記第１ユーザが実際に通過した際の前記第１ユーザの状態を示す行動推定情報を含み、
前記制御部は、
前記登山経路情報により前記行動推定情報が取得され、前記記憶部に記憶されている前記複数の登山計画書情報の中に前記特定の登山計画書情報がある場合に、前記行動推定情報を前記特定の登山計画書情報と対応付けられている前記ユーザＩＤに対応する前記ユーザが有する前記端末装置へ前記通信部を介して送信することを特徴とする請求項１〜３の何れか一項に記載の情報処理装置。
【請求項５】
端末装置であって、
ユーザが一の登山経路を登山するように計画された登山計画書情報に基づく登山ルートを表示する表示部と、
前記端末装置とは別に設けられている情報処理装置と通信可能な通信部と、
制御部と、
を備え、
前記制御部は、前記ユーザが前記端末装置を携帯して前記登山計画書情報に応じて前記一の登山経路を通過している間に、前記一の登山経路における前記ユーザが通過予定の第１場所の状況及び前記第１場所における他のユーザの状態の少なくとも何れかを示す登山経路情報を、前記通信部を介して前記情報処理装置より受信した場合に、前記表示部に、前記登山ルートの表示に加えて、前記登山経路情報に応じた情報を表示させることを特徴とする端末装置。
【請求項６】
前記制御部は、
前記登山計画書情報を、前記ユーザを識別するユーザＩＤと対応付けて前記通信部を介して前記情報処理装置に送信し、
前記ユーザが前記登山計画書情報に基づいて登山を行うときに、前記登山計画書情報を、前記通信部を介して前記情報処理装置より受信して、前記登山計画書情報に基づく前記登山ルートを前記表示部に表示させることを特徴とする請求項５に記載の端末装置。
【請求項７】
前記ユーザの動作を検出するセンサ部を備え、
前記制御部は、
前記ユーザが前記端末装置を携帯して前記登山計画書情報に応じて前記一の登山経路を通過している間に、前記センサ部の検出結果に基づいて、前記一の登山経路における第２場所の状況及び当該第２場所における前記ユーザの状態の少なくとも何れかを示す登山経路情報を取得し、
前記登山経路情報を前記ユーザＩＤと対応付けて、前記通信部を介して前記情報処理装置に送信することを特徴とする請求項５又は請求項６に記載の端末装置。
【請求項８】
複数のユーザそれぞれが携帯する端末装置と、前記複数のユーザそれぞれが携帯する端末装置とは別に設けられている情報処理装置と、を備え、
前記複数のユーザそれぞれが携帯する端末装置と前記情報処理装置は相互に通信可能であり、
前記情報処理装置は、
複数の登山計画書情報と該各登山計画書情報において登山予定とされている複数のユーザを識別する複数のユーザＩＤとを互いに対応付けて記憶する記憶部と、第１制御部と、
を備え、
前記第１制御部は、
前記複数のユーザにおける少なくとも一人の第１ユーザが、前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する前記端末装置より通信により取得し、
前記第１ユーザが前記第１場所を通過した時刻よりも後に当該第１場所を通過する予定となっている少なくとも一つの特定の登山計画書情報が前記記憶部に記憶されている前記複数の登山計画書情報の中にある場合に、前記登山経路情報を当該特定の登山計画書情報と対応付けられている前記ユーザＩＤに対応する前記ユーザが有する前記端末装置へ送信し、
前記複数のユーザそれぞれが携帯する端末装置は、
前記ユーザが作成した前記登山計画書情報に基づく登山ルートを表示する表示部と、前記ユーザの動作を検出するセンサ部と、第２制御部と、を備え、
前記第２制御部は、
前記ユーザが前記端末装置を携帯して前記登山計画書情報に応じて前記一の登山経路を通過している間に、前記センサ部の検出結果に基づいて前記登山経路情報を取得し、
前記登山経路情報を前記ユーザＩＤと対応付けて、前記情報処理装置に送信し、
前記ユーザが前記端末装置を携帯して前記登山計画書情報に応じて前記一の登山経路を通過している間に、前記一の登山経路における第１場所の前記登山経路情報が前記情報処理装置から送信されて、当該登山経路情報を受信した場合に、前記表示部に、前記登山ルートの表示に加えて前記登山経路情報に応じた情報を表示させる、
ことを特徴とする情報処理システム。
【請求項９】
情報処理装置における情報処理方法であって、
前記情報処理装置は、複数の登山計画書情報と該各登山計画書情報において登山予定とされている複数のユーザを識別する複数のユーザＩＤとを互いに対応付けて記憶する記憶部と、前記複数のユーザそれぞれが有する端末装置と通信可能な通信部と、を備え、
前記複数のユーザにおける少なくとも一人の第１ユーザが、前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する端末装置より前記通信部を介して取得する取得ステップと、
前記第１ユーザが前記第１場所を通過した時刻よりも後に当該第１場所を通過する予定となっている少なくとも一つの特定の登山計画書情報が前記記憶部に記憶されている前記複数の登山計画書情報の中にある場合に、前記登山経路情報を当該特定の登山計画書情報と対応付けられている前記ユーザＩＤに対応する前記ユーザが有する前記端末装置へ前記通信部を介して送信する送信ステップと、
を含むことを特徴とする情報処理方法。
【請求項１０】
情報処理装置におけるプログラムであって、
前記情報処理装置は、複数の登山計画書情報と該各登山計画書情報において登山予定とされている複数のユーザを識別する複数のユーザＩＤとを互いに対応付けて記憶する記憶部と、前記複数のユーザそれぞれが有する端末装置と通信可能な通信部と、を備え、
前記情報処理装置のコンピュータに、
前記複数のユーザにおける少なくとも一人の第１ユーザが、該第１ユーザが作成した前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する端末装置より前記通信部を介して取得させ、
前記第１ユーザが前記第１場所を通過した時刻よりも後に当該第１場所を通過する予定となっている少なくとも一つの特定の登山計画書情報が前記記憶部に記憶されている前記複数の登山計画書情報の中にある場合に、前記登山経路情報を当該特定の登山計画書情報と対応付けられている前記ユーザＩＤに対応する前記ユーザが有する前記端末装置へ前記通信部を介して送信させる、
ことを特徴とするプログラム。
【請求項１１】
端末装置における情報表示方法であって、
前記端末装置は、ユーザが一の登山経路を登山するように計画された登山計画書情報に基づく登山ルートを表示する表示部と、前記端末装置とは別に設けられている情報処理装置と通信可能な通信部と、を備え、
前記ユーザが前記端末装置を携帯して前記登山計画書情報に応じて前記一の登山経路を通過している間に、前記一の登山経路における前記ユーザが通過予定の第１場所の状況及び前記第１場所における他のユーザの状態の少なくとも何れかを示す登山経路情報を、前記通信部を介して前記情報処理装置より受信した場合に、前記表示部に、前記登山ルートの表示に加えて、前記登山経路情報に応じた情報を表示させる情報表示ステップ、
を含むことを特徴とする情報表示方法。
【請求項１２】
端末装置におけるプログラムであって、
前記端末装置は、ユーザが一の登山経路を登山するように計画された登山計画書情報に基づく登山ルートを表示する表示部と、前記端末装置とは別に設けられている情報処理装置と通信可能な通信部と、を備え、
前記端末装置のコンピュータに、
前記ユーザが前記端末装置を携帯して前記登山計画書情報に応じて前記一の登山経路を通過している間に、前記一の登山経路における前記ユーザが通過予定の第１場所の状況及び前記第１場所における他のユーザの状態の少なくとも何れかを示す登山経路情報を、前記通信部を介して前記情報処理装置より受信した場合に、前記表示部に、前記登山ルートの表示に加えて、前記登山経路情報に応じた情報を表示させる、
ことを特徴とするプログラム。